(57)【要約】      （修正有）【課題】各光エレメントには特別の対策を行うことなくノッチをそのまま残した場合で架空集合光エレメント全体について対策を行って安価に蝉の産卵管から防御することができ、かつ光エレメントに光コネクタを装着し易い光ファイバケーブルを提供する。【解決手段】内部に空間部１４が形成され、外側に保護被覆部１３の形成された被覆体を備え、空間部１４に架空集合光エレメント２０を収納し、前記保護被覆部１３の内部には抗張力体１７を配設する。各光エレメント１０にノッチを形成した状態で、前記保護被覆体１５は円筒状に形成し、前記保護被覆部１３の一部に前記空間部１４に連通する切り込みが前記保護被覆体１５の長手方向に延びて設けられている。【選択図】図１
2008129168.tif 000002
【特許請求の範囲】
【請求項１】
光ファイバ心線およびテンション部材を外皮で被覆して形成した光エレメントを複数本集合して架空集合光エレメントを構成し、該架空集合光エレメントを抗張力の支持線で支持するようにした光ファイバケーブルにおいて、
内部に空間部が形成され、外側に保護被覆部が形成された保護被覆体を備え、前記空間部に前記架空集合光エレメントを収納し、前記保護被覆部の内部には前記支持線を配設し、各光エレメントにノッチを形成した状態で、前記保護被覆体は円筒状に形成し、、前記保護被覆部の一部に前記空間部に連通する切り込みが前記保護被覆体の長手方向に延びて設けられていることを特徴とする光ファイバケーブル。
【請求項２】
請求項１において、前記支持線は、前記保護被覆部の内部に、前記被覆体の中央に対して対向配置されていることを特徴とする光ファイバケーブル。
【請求項３】
光ファイバ心線およびテンション部材を外皮で被覆して形成した光エレメントを複数本集合して架空集合光エレメントを構成し、該架空集合光エレメントを抗張力の支持線で支持するようにした光ファイバケーブルにおいて、
前記空間部には前記架空集合光エレメント部を包囲し、埋設して熱可塑性樹脂材からなる介在物が設けられていることを特徴とする光ファイバケーブル。
【請求項４】
請求項３において、前記被覆体は切り込みのない円筒状形状をなし、前記保護被覆部の内部に、前記保護被覆体の中央に対して対向配置して、前記支持線および引き裂き用紐がそれぞれ配設されていることを特徴とする光ファイバケーブル。
【発明の詳細な説明】
【技術分野】
【０００１】
本発明は、架空に、特に電柱布設される光ファイバケーブルに関する。
【背景技術】
【０００２】
従来の架空集合光ファイバケーブル（架空集合ドロップケーブル）の構造を図５および図６を用いて説明する。図５は、架空集合光ファイバケーブル１００の全体構造を示す断面図である。図５において、光エレメント１０の複数本（図では８本）を支持線１２の周りに撚合せた状態で集合している。支持部１１は、支持線１２および支持線１２の周りの被覆体１３から成る。光エレメント１０は、図６に断面で示すように、中央に光ファイバ心線１を配し、光ファイバ心線１を中央にしてテンション部材２が対向配置され、光ファイバ心線１およびテンション部材２は外被３によって被覆され、ほぼ断面長方形をなしている。外被３の表面中央部には、光ファイバケーブルの長手方向に延びる断面Ｖ字状のノッチ４が形成されている。このノッチ４のところで各光ファイバ心線について外被３を引き裂いて光ファイバ心線１を取り出すことができるようになっている。光ファイバ心線１は平行に並べて複数本配置される場合がある。このように構成される光ファイバケーブル１００は、加入者宅に配線される前段階のものであり、電柱間に架空状態に架設される。各加入者宅には、光エレメント１０の支持線１１の巻回を解いて光エレメント１０のみが配線される。
【０００３】
配線後、光エレメント１０内の光ファイバ心線１は、宅内機器に接続されるが、この時、外被３をノッチから手で引き裂いて光ファイバ心線を取り出す。このノッチの存在により特殊な工具は一切必要とせず、光ファイバの取り出しが可能になっている。
【０００４】
この種のケーブルにおいては蝉の産卵による断線事故が発生している。図５に示す状態で電柱間に架設された光ファイバケーブル１００について、光エレメント１０のノッチ４に蝉が産卵管を突き刺して断線事故を発生させたことが報告されている。蝉の産卵管は、直径約０．４ｍｍで長さは約１０ｍｍで先端が尖っており、ノッチの寸法は入口幅約０．５ｍｍ、深さ約０．５ｍｍ程度で産卵管が丁度フィットする寸法形状である。
【０００５】
蝉は、通常生木ではなく枯れ木に産卵し、硬い産卵管の先端で枯れ枝に孔をあけ産卵するといわれる。前記の夏季に生じたこのケーブルのファイバ断線事故の調査結果は、蝉がこのケーブルを産卵に適した枯れ木の枝と錯覚し、ノッチに産卵管を突き刺し中の光ファイバ心線に外傷を与え、それがファイバ断線に繋がったと考えられる事を示唆した。このような蝉の産卵によるケーブルのファイバ断線事故を防止するために様々な対策が取られて来た。
【０００６】
特許文献１には、ケーブルの中心にある一本の光ファイバ心線とその両脇に平行に配置した二本のテンションメンバを同一平面に含むように一括被覆してなる断面ほぼ短形の外皮の、該平面に平行な素面の光ファイバ心線の直上部および直下部に、光ファイバ心線に平行に長手方向に延びるノッチを設けた光ファイバケーブルにおいて、ノッチが外皮表面で完全に閉口するように剥離可能な材料でノッチ開口部を塞いだことを特徴とする光ファイバケーブルが記載されている。
【０００７】
特許文献２には、光ファイバ心線と、前記光ファイバ心線の長手方向に沿って光ファイバ心線の両側に配置された抗張力体と、複数の光ファイバ心線を収納する中空部と、前記長手方向に垂直な面内において前記抗張力体を結ぶ第１方向に直交する第２方向の前記光ファイバ心線の両側に配置された引裂線条件と、前記光ファイバ心線、抗張力体、及び引裂条件を被覆するケーブルシースと、を備える長尺の光エレメント部を有することを特徴とする光ファイバケーブルが記載されている。
【０００８】
【特許文献１】特開２００２−９０５９６号公報
【特許文献２】特開２００５−１１５１２０号公報
【発明の開示】
【発明が解決しようとする課題】
【０００９】
上述の調査結果から、ノッチの無い光エレメントが使用されたりしたが、これは引裂き用の特殊工具が必要となる。また、特許文献１には、外被と剥離性を有しかつ外被と粘着性を有する充填物でノッチを埋めるという提案もなされたが、剥離性と粘着性という相反する性質を有する材料は、あまり一般的でない特殊なものに限られて、材料の入手や加工がやや難しいものになっており、特に架空集合光エレメントに対しては高価になるおそれがある。
【００１０】
架空集合光エレメントの各光エレメントに直接蝉の産卵管が触れる構造であるため、産卵時期になると蝉が光エレメント部を木の枝と勘違いし産卵管を刺し、光ファイバ心線を断線させるという問題があった。
【００１１】
本発明の目的は、各光エレメントには特別の対策を行うことなくノッチをそのまま残した場合で架空集合光エレメント全体について対策を行って安価に蝉の産卵管から防御することのできる光ファイバケーブルを提供することにある。
【課題を解決するための手段】
【００１２】
本発明は、光ファイバ心線およびテンション部材を外皮で被覆して形成した光エレメントを複数本集合して架空集合光エレメントを構成し、該架空集合光エレメントを抗張力の支持線で支持するようにした光ファイバケーブルにおいて、
内部に空間部が形成され、外側に保護被覆部が形成された保護被覆体を備え、前記空間部に前記架空集合光エレメントを収納し、前記保護被覆部の内部には前記支持線を配設し、各光エレメントにノッチを形成した状態で、前記保護被覆体は円筒状に形成し、、前記保護被覆部の一部に前記空間部に連通する切り込みが前記保護被覆体の長手方向に延びて設けられていることを特徴とする光ファイバケーブルを提供する。
【００１３】
この光ファイバケーブルは、前記支持線は、前記保護被覆部の内部に、前記保護被覆体の中央に対して対向配置されていることを特徴とする。
【００１４】
本発明は、光ファイバ心線およびテンション部材を外皮で被覆して形成した光エレメントを複数本集合して架空集合光エレメントを構成し、該架空集合光エレメントを抗張力の支持線で支持するようにした光ファイバケーブルにおいて、前記空間部には前記架空集合光エレメント部を包囲し、埋設して熱可塑性樹脂材からなる介在物が設けられていることを特徴とする光ファイバケーブルを提供する。
【００１５】
この光ファイバケーブルは、前記保護被覆体は切り込みのない円筒状形状をなし、前記保護被覆部の内部に、前記保護被覆体の中央に対して対向配置して、前記支持線および引き裂き用紐がそれぞれ配設されていることを特徴とする。
【発明の効果】
【００１６】
本発明によれば、蝉の産卵管から防御でき、かつ光エレメント部に光コネクタを装着し易い光ファイバケーブルを提供することができる。
【発明を実施するための最良の形態】
【００１７】
以下、本発明の実施例を図面に基づいて説明する。
【実施例１】
【００１８】
図１および図２は本発明の第一の実施例である光ファイバケーブルを示し、図１はこの光ファイバケーブルの断面を、そして図２はこの光ファイバケーブルに使用する光エレメントの断面を示す。従来例として説明した図５および図６に示す構成と同じ構成には同一の番号を付している。
【００１９】
図１において、光ファイバケーブル１００は、外側の保護被覆部１３とこの保護被覆部１３の内部に形成される空間部１４とによって形成される保護被覆体１５を備える。
【００２０】
保護被覆体１５は全体に断面が円形状をなし、保護被覆部１３は細長い円筒状をなす。空間部１４は十分な空白領域を有して、８つの光エレメント１０からなる架空集合体光エレメントが配設される。保護被覆部１３の一部には空間部１４に連通する切り込み１６が被覆体１５の長手方向に延びて設けてある。切り込み１６を開放し、いずれかの光エレメント１０を取り出すことができる。従って、保護被覆部１３は、熱可塑性樹脂であるポリエチレン材で製作され、柔軟性がある。
【００２１】
保護被覆部１３には、抗張力体１７が配設される。抗張力体１７は、保護被覆部１３の内部に、保護被覆体１５の中央に対して対向配置される。
【００２２】
空間部１４は、８つの光エレメント１０が配設される。各光エレメント１０の構成は図２に示す通りであり、その構成は、図６に示す構成と同一である。すなわち、光エレメント１０の構成は従来のものと変わらない。図２において、中央に光ファイバ心線１を配し、光ファイバ心線１を中央にしてテンション部材２が対抗配置され、光ファイバ心線１およびテンション部材２は外被３によって被覆され、ほぼ断面長方形をなしている。外被３の表面中央部には光ファイバケーブルの長手方向に延びる断面Ｖ字状のノッチ４が形成されている。このノッチ４のところで外被３を引き裂いて光ファイバ心線１を取り出すことができるようになっている。光ファイバ心線１は平行に並べて複数本配置される場合がある。
【００２３】
光エレメント１０の寸法は、短辺側２．０±０．１ｍｍ、長辺側３．１±０．２ｍｍとして構成し得る。本実施例にあっては、ノッチ４について塞ぐなどの何等の加工を行う必要がない。
【００２４】
外径が２５０μｍで最外槽が着色された光ファイバ心線によって構成される光エレメント１０を８本ＳＺ方向に撚合わせ、集合させて架空集合光エレメントとする。抗張力体１７として外径が１．０ｍｍの単銅線を２本対向になるように配置し、熱可塑樹脂で形成される保護被覆部１３を外周に置いて被覆する。この保護被覆部１３の内部に空間部１４が形成され、保護被覆部１３が最外周外被となる。保護被覆部１３には、ケーブル長さ方向に延びる幅１．２ｍｍの切り込み（空隙）１０が設けられる。この場合に、光ファイバケーブル１００の外径は１４．５ｍｍで、保護被覆部１３の厚さは２．０ｍｍである。
【００２５】
図３は、このようにして形成された光ファイバケーブル１００の外観を示す。図３において、光ファイバケーブル１００から光エレメント１０が切り込み１６から引き出され、光エレメント１０の先端に光コネクタ１９が接続される。切り込み１６から光コネクタ１９を引き出すようにしており、光コネクタ１９を容易に接続することができる。
【００２６】
以上のように、内部に空間部１４が形成され、外側に保護被覆部１３が形成された保護被覆体１５を備え、空間部１４に架空集合光エレメント２０を収納し、保護被覆部１３の内部には支持線１７を配設し、各光エレメント１０にノッチ４を形成した状態で被覆体１５は円筒状に形成し、保護被覆部１３の一部に空間部１４に連通する切り込み１６が保護被覆体１５の長手方向に延びて設けられている光ファイバケーブルが構成される。
【実施例２】
【００２７】
図４は、本発明の第二の実施例である光ファイバケーブル１００を示す。第一の実施例と同一の構成については同一の番号が付してあり、同一の番号の構成には第一の実施例の説明が援用される。
図４において、第一の実施例と同様に、保護被覆体１５は円形状とされ、保護被覆部１３は細長い円筒状でされる。保護被覆部１３には切り込み（空隙）は設けていない。
【００２８】
空間部１４は、第一の実施例の場合、空白部とされて光エレメント１０が配設された。本実施例にあっても光エレメント１０に形成したノッチを塞ぐなどの加工を要しない。第二の実施例の場合、光エレメント１０が８本集合した架空集合光エレメント２０は、空間部１４に配設された緩衝層としてプラスチック繊維で覆われる。このプラスチック繊維が緩衝層としての介在物２１となる。この介在物は架空集合エレメント２０を空間部１４にしっかりと固定する。外径が２５０μｍで最外層が着色された光ファイバ心線１によって構成され、光エレメント１０を８本ＳＺ方向に撚合せ、集合させ、抗張力体１７として外径が１．０ｍｍの単銅線を２本対向になるように配置し、熱可塑樹脂で形成される保護被覆部１３を外周に置いて被覆する。この保護被覆部１３の内部に空間部１４が形成され、保護被覆部１３が最外周外被となる。
【００２９】
この場合に、光ファイバケーブル１００の外径は１４．５ｍｍで、保護被覆部１３の厚さは２．０ｍｍである。この例では切り込みが設けられず切り込みに替えて保護被覆部１３の最内周には空間部１４に露出する形で引き裂き用紐２２が設けられる。保護被覆部１３の内部に、保護被覆体１５の中央に対して対抗配置して、引き裂き用紐２２が配置される。すなわち、保護被覆部１３の内部に、保護被覆体１５の中央に対して対抗配置して、抗張力体１７および引き裂き用紐２２がそれぞれ配設される。
【００３０】
以上のように、空間部１４には架空集合光エレメント２０を包囲し、埋設して熱可塑性樹脂材からなる介在物２１が設けられ、前記保護被覆体１５は切り込みのない円筒状形状をなし、保護被覆部１３の内部に被覆体１５の中央に対して対抗配置して、支持線１１および引き裂き用紐２２がそれぞれ配設されている光ファイバケーブルが構成される。
【００３１】
第一の実施例もしくは第二の実施例によれば、光エレメント１０に設けたノッチ４が外部に露出することがなく、蝉が産卵することを防止することができると共に、ノッチ４部分については何等の付加、あるいは加工を施す必要がないから光エレメント１０にはその先端に接続用の光コネクタを容易に設けることができる。
【図面の簡単な説明】
【００３２】
【図１】本発明の実施例の構成を示す断面図。
【図２】図１の一部構成の詳細図。
【図３】本発明の実施例の外観図。
【図４】本発明の他の実施例の構成を示す断面図。
【図５】従来例の構成を示す断面図。
【図６】図５の一部構成の詳細図。
【符号の説明】
【００３３】
１…光ファイバ心線、２…テンション部材、３…外被、４…ノッチ、１０…光エレメント、１１…支持部、１２…支持線、１３…保護被覆部、１４…空間部、１５…保護被覆体、１６…切り込み（空隙）、１７…抗張力体、１９…光コネクタ、２０…架空集合光エレメント、２１…介在物、２２…引き裂き用紐、１００…光ファイバケーブル。
【図１】
2008129168.tif 000003
【図２】
2008129168.tif 000004
【図３】
2008129168.tif 000005
【図４】
2008129168.tif 000006
【図５】
2008129168.tif 000007
【図６】
2008129168.tif 000008